(57)【特許請求の範囲】
【請求項１】
絶縁体層を積み重ねて構成した積層体内にインダクタとコンデンサを形成し、該インダクタとコンデンサとによりＬＣ共振器を形成した積層型ＬＣ複合部品において、
前記絶縁体層の積み重ね方向において、前記ＬＣ共振器の上部側又は下部側の少なくともいずれか一方の側に複数のグランドパターンが近接して積層され、前記複数のグランドパターンのそれぞれの引き出し部が平面透視で異なる位置に配置されて、前記積層体の表面に設けたグランド外部電極に電気的に接続していることを特徴とする積層型ＬＣ複合部品。
【請求項２】
前記複数のグランドパターンのそれぞれの引き出し部が、平面透視で隙間のない状態で配置されていることを特徴とする請求項１記載の積層型ＬＣ複合部品。
【請求項３】
前記インダクタが、前記絶縁体層の積み重ね方向に連接されたビアホールにより構成され、前記インダクタの一端が前記ＬＣ共振器のコンデンサの一方のコンデンサパターンに電気的に接続されるとともに、前記インダクタの他端が前記複数のグランドパターンに電気的に接続されていることを特徴とする請求項１又は請求項２記載の積層型ＬＣ複合部品。
【発明の詳細な説明】
【０００１】
【発明の属する技術分野】
本発明は、積層型ＬＣ複合部品、特に、携帯電話等の移動体通信機器などに使用される積層型ＬＣ複合部品に関する。
【０００２】
【従来の技術】
この種の積層型ＬＣ複合部品として、従来より、図１２に示す構造の積層型ＬＣフィルタ１が知られている。この積層型ＬＣフィルタ１は、インダクタ用パターン８，９及び共振用コンデンサパターン１０，１１を表面に設けたセラミックシート５と、グランドパターン１２，１３，１４，１５をそれぞれ表面に設けたセラミックシート３，４，６，７等にて構成されている。
【０００３】
セラミックシート２〜７は積み重ねられ、一体的に焼成されることにより、図１３に示す積層体１７とされる。積層体１７には、入力端子１８、出力端子１９およびグランド端子Ｇ１，Ｇ２が形成されている。入力端子１８にはインダクタ用パターン８の引き出し部８ａが接続され、出力端子１９にはインダクタ用パターン９の引き出し部９ａが接続されている。グランド端子Ｇ１には、インダクタ用パターン８，９の接地側端部及びグランドパターン１２〜１５の一方の端部が接続されている。グランド端子Ｇ２には、共振用コンデンサパターン１０，１１及びグランドパターン１２〜１５の他方の端部が接続されている。
【０００４】
以上のＬＣフィルタ１は、インダクタ用パターン８により形成されるインダクタＬ１と、共振用コンデンサパターン１０がインダクタ用パターン８の開放端部に対向することにより形成される共振用コンデンサＣ１と、インダクタ用パターン８がグランドパターン１２〜１５に対向することにより形成されるコンデンサＣ３とでＬＣ共振器Ｑ１を構成している。同様に、インダクタ用パターン９により形成されるインダクタＬ２と、共振用コンデンサパターン１１がインダクタ用パターン９の開放端部に対向することにより形成される共振用コンデンサＣ２と、インダクタ用パターン９がグランドパターン１２〜１５に対向することにより形成されるコンデンサＣ４とでＬＣ共振器Ｑ２を構成している。そして、セラミックシート２〜７の積み重ね方向において、ＬＣ共振器Ｑ１，Ｑ２の上部側及び下部側にそれぞれ２枚のグランドパターン１２，１３、１４，１５が近接して積層されている。
【０００５】
【発明が解決しようとする課題】
ところで、積層型ＬＣフィルタにおいては、グランドパターンの引き出し部を幅広くして、グランドパターンの引き出し部自身が有するインダクタンス成分を抑えることが好ましい。しかし、そのような構成を採ると、グランドパターンとセラミックシートとの間に剥がれが生じ易くなる。グランドパターンとセラミックシートとの密着力が弱くなり、グランドパターンとセラミックシートとの接合力が低下するからである。そこで、一般に、図１２に示しているグランドパターン１２〜１５の引き出し部１２ａ〜１５ａのように、幅狭にして複数に分割する構成が採られている。
【０００６】
しかし、図１４に示すように、グランドパターン１２，１３（又は１４，１５）のそれぞれの引き出し部１２ａ，１３ａ（又は１４ａ，１５ａ）が、平面透視で同じ位置に配置されているので、引き出し部１２ａ，１３ａ（又は１４ａ，１５ａ）で発生する磁界が一部分に集中する。従って、従来の積層型ＬＣフィルタ１は、グランドパターン１２〜１５の引き出し部自身が有するインダクタンス成分が無視できないほど大きかった。また、引き出し部１２ａと１２ａの間及び引き出し部１３ａと１３ａの間に開口部１６が形成されるため、フィルタ１内で発生した電磁波が、開口部１６から外部へ漏れるという不具合があった。
【０００７】
さらに、引き出し部１２ａ〜１５ａの位置が、製造上のばらつきによりずれると、平面透視でグランドパターン１２〜１５の開口部の面積が変化する。すると、インダクタ用パターン８，９とグランドパターン１２〜１５とで構成されるコンデンサＣ３，Ｃ４の静電容量が変化し、ＬＣフィルタ１のフィルタ特性がばらつく原因となる。
【０００８】
そこで、本発明の目的は、グランドパターン自身が有するインダクタンス成分が小さく、外部へ電磁波が漏れにくい積層型ＬＣ複合部品を提供することにある。
【０００９】
【課題を解決するための手段と作用】
以上の目的を達成するため、本発明に係る積層型ＬＣ複合部品は、絶縁体層を積み重ねて構成した積層体内にインダクタとコンデンサを形成し、該インダクタとコンデンサとによりＬＣ共振器を形成した積層型ＬＣ複合部品であって、絶縁体層の積み重ね方向において、ＬＣ共振器の上部側又は下部側の少なくともいずれか一方の側に複数のグランドパターンが近接して積層され、複数のグランドパターンのそれぞれの引き出し部が平面透視で異なる位置に配置されて、積層体の表面に設けたグランド外部電極に電気的に接続していることを特徴とする。インダクタは、例えば、絶縁体層の積み重ね方向に連接されたビアホールにより構成され、インダクタの一端がＬＣ共振器のコンデンサの一方のコンデンサパターンに電気的に接続されるとともに、インダクタの他端が複数のグランドパターンに電気的に接続されている。
【００１０】
以上の構成により、複数のグランドパターンのそれぞれの引き出し部が平面透視で異なる位置に配置されているので、引き出し部で発生する磁界が一部分に集中せず、グランドパターンの引き出し部自身が有するインダクタンス成分が小さくなる。
【００１１】
さらに、複数のグランドパターンのそれぞれの引き出し部を、平面透視で隙間のない状態で配置することにより、部品内で発生した電磁波が外部へ漏れにくくなる。
【００１２】
【発明の実施の形態】
以下、本発明に係る積層型ＬＣ複合部品の実施形態について添付図面を参照して説明する。
【００１３】
［第１実施形態、図１〜図４］
本第１実施形態は、図１２に示した従来の積層型ＬＣフィルタ１に本発明を適用したものである。図１に積層型ＬＣフィルタ２１の構成を示し、図２および図３にそれぞれＬＣフィルタ２１の外観斜視図および電気等価回路図を示す。
【００１４】
図１に示すように、積層型ＬＣフィルタ２１は、インダクタ用パターン８，９及び共振用コンデンサパターン１０，１１を表面に設けた絶縁体シート５と、グランドパターン２２，２３，２４，２５をそれぞれ表面に設けた絶縁体シート３，４，６，７等にて構成されている。絶縁体シート２〜７は、誘電体セラミック粉末や磁性体セラミック粉末を結合剤等と一緒に混練したものをシート状にしたものである。パターン８〜１１，２２〜２５は、Ａｇ，Ｐｄ，Ｃｕ，Ｎｉ，Ａｕ，Ａｇ−Ｐｄ等からなり、印刷等の方法により形成される。
【００１５】
一定のパターン幅を有する逆Ｌ字状のインダクタ用パターン８，９は、絶縁体シート５の手前側から奥側に向かって平行に並走された状態で配置されている。インダクタ用パターン８，９のそれぞれの一端はシート５の手前側の辺に露出して接地端とされ、他端は開放端とされている。インダクタ用パターン８，９は、それぞれインダクタＬ１，Ｌ２を形成している。インダクタＬ１，Ｌ２の軸は、絶縁体シート５の手前側から奥側に向かう方向に対して略平行である。そして、インダクタＬ１，Ｌ２に電流が流れると、インダクタＬ１，Ｌ２のそれぞれの周囲に、インダクタＬ１，Ｌ２の軸方向に対して垂直な面を周回する磁界が発生する。
【００１６】
インダクタ用パターン８の引き出し部８ａはシート５の左側の辺に露出し、インダクタ用パターン９の引き出し部９ａはシート５の右側の辺に露出している。インダクタ用パターン８，９の長さは、それぞれ実質的にλ／４（λ：中心周波数の波長）に設定されている。
【００１７】
共振用コンデンサパターン１０，１１は、それぞれシート５の奥側に配置されている。共振用コンデンサパターン１０は、インダクタ用パターン８の開放端に対向し、コンデンサＣ１を形成する。そして、インダクタ用パターン８がグランドパターン２２〜２５に対向することにより分布静電容量が形成される。この分布静電容量にて形成されるコンデンサＣ３とコンデンサＣ１とインダクタＬ１とでＬＣ共振器Ｑ１を構成する。さらに、共振用コンデンサパターン１１は、インダクタ用パターン９の開放端に対向し、コンデンサＣ２を形成する。そして、インダクタ用パターン９がグランドパターン２２〜２５に対向することにより分布静電容量が形成される。この分布静電容量にて形成されるコンデンサＣ４とコンデンサＣ２とインダクタＬ２とでＬＣ共振器Ｑ２を構成する。
【００１８】
インダクタ用パターン８と９の開放端側は、接近して対向し、静電容量を形成している。この静電容量は、共振器Ｑ１とＱ２とを結合する結合コンデンサＣｓとなる。さらに、インダクタ用パターン８と９の間には相互インダクタンスＭが形成され、共振器Ｑ１とＱ２を磁気的に結合する。そして、パターン８〜１１を間に挟んで、広面積のグランドパターン２２，２３と２４，２５が、それぞれ上部側及び下部側に配置されている。
【００１９】
絶縁体シート２〜７は積み重ねられ、一体的に焼成されることにより、図２に示す積層体３０とされる。積層体３０の左右の端面には、それぞれ入力端子３１、出力端子３２が形成されている。積層体３０の手前側及び奥側の側面には、グランド端子Ｇ１，Ｇ２が形成されている。入力端子３１にはインダクタ用パターン８の引き出し部８ａが接続され、出力端子３２にはインダクタ用パターン９の引き出し部９ａが接続されている。グランド端子Ｇ１には、インダクタ用パターン８，９の接地端及びグランドパターン２２〜２５の一方の端部２２ａ〜２５ａが接続されている。グランド端子Ｇ２には、共振用コンデンサパターン１０，１１及びグランドパターン２２〜２５の他方の端部２２ａ〜２５ａが接続されている。
【００２０】
図３はこうして得られた積層型ＬＣフィルタ２１の電気等価回路図である。共振器Ｑ１とＱ２は、結合コンデンサＣｓ及び相互インダクタンスＭを介して電磁気的に接続され、２段のフィルタを構成している。共振器Ｑ１，Ｑ２のインダクタＬ１，Ｌ２の一端（インダクタ用パターン８，９の開放端）は、それぞれコンデンサＣ１，Ｃ２の一端に接続されている。コンデンサＣ１，Ｃ２の他端は接地されている。一方、インダクタＬ１，Ｌ２の他端は接地されている。
【００２１】
以上の構成からなる積層型ＬＣフィルタ２１は、図４に示すように、グランドパターン２２，２３（又は２４，２５）のそれぞれの引き出し部２２ａ，２３ａ（又は２４ａ，２５ａ）が、平面透視で異なる位置に配置されているので、引き出し部２２ａ，２３ａ（又は２４ａ，２５ａ）で発生する磁界が一部分に集中しない。従って、積層型ＬＣフィルタ２１は、グランドパターン２２〜２５の引き出し部２２ａ〜２５ａ自身が有するインダクタンス成分が無視できるほど小さくなる。
【００２２】
さらに、具体的な数値例を用いて詳説する。絶縁体シート２〜７の長さ寸法を１〜１０ｍｍとし、幅寸法を０．５〜６．３ｍｍとしたとき、グランドパターン２２〜２５の引き出し部２２ａ〜２５ａのパターン幅Ａ，Ｂは、通常、０．１〜４ｍｍの範囲内で設定される。言い換えると、パターン幅Ａ，Ｂは、シート２〜７の長さ寸法に対して１０〜４０％の寸法に設定される。本第１実施形態の場合、シート３，６の手前側及び奥側にそれぞれ２本設けられた引き出し部２２ａ（２４ａ）のパターン幅Ａは０．１〜３ｍｍ（シート３，６の長さ寸法の１０〜３０％）に設定され、シート４，７の手前側及び奥側にそれぞれ３本設けられた引き出し部２３ａ（２５ａ）のパターン幅Ｂは０．１〜２．５ｍｍ（シート４，７の長さ寸法の１０〜２５％）に設定される。
【００２３】
また、グランドパターン２２の引き出し部２２ａの外側及び間に形成されている開口部２７は、グランドパターン２３の引き出し部２３ａによって、平面透視で隙間のない状態で塞がれている。同様に、グランドパターン２３の引き出し部２３ａの間に形成されている開口部２６は、グランドパターン２２の引き出し部２２ａによって、平面透視で隙間のない状態で塞がれている。すなわち、絶縁体シート２〜７の積み重ね方向において、ＬＣ共振器Ｑ１，Ｑ２の上側部に近接して積層されているグランドパターン２２，２３のそれぞれの引き出し部２２ａ，２３ａが、平面透視で互いに隙間のない状態で配置されている。同様に、ＬＣ共振器Ｑ１，Ｑ２の下側部に近接して積層されているグランドパターン２４，２５のそれぞれの引き出し部２４ａ，２５ａも、平面透視で互いに隙間のない状態で配置されている。従って、フィルタ２１内で発生した電磁波が、フィルタ２１の外部へ漏れにくくなる。
【００２４】
さらに、引き出し部２２ａ〜２５ａの位置が製造上のばらつきによりずれても、平面透視で引き出し部２２ａ〜２５ａに隙間（開口部）ができないように、引き出し部２２ａ〜２５ａのパターン幅を若干広く設定している。これにより、引き出し部２２ａ〜２５ａの位置が製造上のばらつきによりずれても、グランドパターン２２〜２５とインダクタ用パターン８，９とで構成されるコンデンサＣ３，Ｃ４の静電容量は変化せず、フィルタ特性のばらつきが少ない積層型ＬＣフィルタ２１が得られる。
【００２５】
なお、最下層のグランドパターン２５はＬＣフィルタ２１の実装面に近く、接地状態の影響を受けにくい。従って、共振器Ｑ１，Ｑ２の下側部に配置されているグランドパターン２４を省略する場合もある。
【００２６】
［第２実施形態、図５〜図８］
図５に示すように、第２実施形態の積層型ＬＣフィルタ４１は、インダクタ用ビアホール５０ａ〜５０ｃ，５１ａ〜５１ｃ、入出力コンデンサパターン５３，５４、共振用コンデンサパターン５５，５６、グランドパターン５７，５８，５９，６０等をそれぞれ設けた絶縁体シート４２〜４９等にて構成されている。
【００２７】
インダクタ用ビアホール５０ａ〜５０ｃ，５１ａ〜５１ｃは、それぞれ絶縁体シート４２〜４９の積み重ね方向に連接して実質的にλ／４の長さの柱状インダクタＬ１，Ｌ２を構成する。インダクタＬ１，Ｌ２の軸方向はシート４２〜４９の表面に対して垂直である。インダクタＬ１，Ｌ２に電流が流れると、インダクタＬ１，Ｌ２のそれぞれの周囲に、インダクタＬ１，Ｌ２の軸方向に対して垂直な面を周回する磁界が発生する。インダクタＬ１，Ｌ２のそれぞれの一端（ビアホール５０ａ，５１ａ）は、接続用ビアホール６８ａ，６８ｂを通してグランドパターン５７，５８に接続され、短絡されている。インダクタＬ１，Ｌ２のそれぞれの他端（ビアホール５０ｃ，５１ｃ）は、共振用コンデンサパターン５５，５６に接続されている。
【００２８】
インダクタ用ビアホール５０ａ〜５１ｃおよび接続用ビアホール６８ａ，６８ｂは、絶縁体シート４３〜４６に金型、レーザ等で所望の形状の穴を明け、Ａｇ，Ｐｄ，Ｃｕ，Ｎｉ，Ａｕ，Ａｇ−Ｐｄ等の導電体材料をこの穴に充填することにより形成される。
【００２９】
絶縁体シート４５は、その厚み寸法を大きくすることによって、インダクタ用ビアホールで形成されるインダクタＬ１，Ｌ２のインダクタンス値を調整（大きく）している。なお、入出力コンデンサＣｓ１，Ｃｓ３（後述）の容量値の関係で、本第２実施形態では、絶縁体シート４５を絶縁体シート４６よりも大きな厚み寸法にしているが、例えば、入出力コンデンサＣｓ１，Ｃｓ３の静電容量が小さい場合や、誘電率の大きい絶縁体シート４６を用いた場合には、共振用コンデンサパターン５５，５６と入出力用コンデンサパターン５３，５４の間隔を大きくする必要があるので、絶縁体シート４５よりも絶縁体シート４６の方が厚くなることもある。また、絶縁体シート４５は、１枚の分厚いシートを用いてもよいし、絶縁体シート４６のような薄いシートを複数枚積み重ねてもよい。
【００３０】
グランドパターン５７〜６０の引き出し部５７ａ〜６０ａはそれぞれ、シート４３，４４，４８，４９の手前側の辺及び奥側の辺に露出している。そして、グランドパターン５７，５８と５９，６０との間に、共振用コンデンサパターン５５，５６やインダクタ用ビアホール５０ａ〜５１ｃ等が配置されている。
【００３１】
共振用コンデンサパターン５５，５６は、それぞれ絶縁体シート４７を挟んでグランドパターン５９に対向し、共振用コンデンサＣ１，Ｃ２を形成する。共振用コンデンサパターン５５はインダクタＬ１の端部（ビアホール５０ｃ）に接続し、インダクタＬ１とコンデンサＣ１とでＬＣ共振器Ｑ１を形成する。共振用コンデンサパターン５６はインダクタＬ２の端部（ビアホール５１ｃ）に接続し、インダクタＬ２とコンデンサＣ２とでＬＣ共振器Ｑ２を形成する。共振用コンデンサパターン５５と５６は対向しており、ＬＣ共振器Ｑ１とＱ２間を結合するための結合コンデンサＣｓ２も形成する。
【００３２】
絶縁体シート４６上の入出力用コンデンサパターン５３，５４は、それぞれ共振用コンデンサパターン５５，５６に対向して入力コンデンサＣｓ１、出力コンデンサＣｓ３を形成する。入力用コンデンサパターン５３の引き出し部５３ａはシート４６の左辺に露出し、出力用コンデンサパターン５４の引き出し部５４ａはシート４６の右辺に露出している。
【００３３】
以上の各シート４２〜４９は図５に示すように順に積み重ねられ、一体的に焼成されることにより、図６及び図７に示す積層体７０（長さが３．２ｍｍ、幅が２．５ｍｍ、厚さが１．４ｍｍ）とされる。積層体７０の左右の端面にはそれぞれ入力端子７１，出力端子７２が形成され、手前側および奥側の側面にはそれぞれグランド端子Ｇ１，Ｇ２が形成されている。入力端子７１には入力用コンデンサパターン５３が接続され、出力端子７２には出力用コンデンサパターン５４が接続され、グランド端子Ｇ１，Ｇ２にはグランドパターン５７〜６０が接続されている。
【００３４】
図８はこうして得られた積層型ＬＣフィルタ４１の電気等価回路図である。共振器Ｑ１，Ｑ２は結合コンデンサＣｓ２を介して相互に電気的に接続され、２段フィルタを構成している。共振器Ｑ１，Ｑ２のインダクタＬ１，Ｌ２の一方の端部（ビアホール５０ｃ，５１ｃ）は、それぞれコンデンサＣ１，Ｃ２の一端に接続されている。一方、インダクタＬ１，Ｌ２の他端（ビアホール５０ａ，５１ａ）はそれぞれグランドパターン５８に電気的に接続している。
【００３５】
以上の構成からなる積層型ＬＣフィルタ４１は、柱状インダクタＬ１，Ｌ２がグランドパターン５７，５８に直接に接続され、グランドパターン５７，５８の引き出し部５７ａ，５８ａを介してグランド端子Ｇ１，Ｇ２に引き出される。従って、信号が引き出し部５７ａ，５８ａを通るため、引き出し部５７ａ，５８ａのインダクタンス成分の影響が大きい。しかし、図５に示すように、グランドパターン５７，５８（又は５９，６０）のそれぞれの引き出し部５７ａ，５８ａ（又は５９ａ，６０ａ）が、平面透視で異なる位置に配置されているので、引き出し部５７ａ，５８ａ（又は５９ａ，６０ａ）で発生する磁界が一部分に集中しない。従って、グランドパターン５７〜６０の引き出し部５７ａ〜６０ａ自身が有するインダクタンス成分が無視できるほど小さくなり、フィルタ特性の優れた積層型ＬＣフィルタ４１が得られる。
【００３６】
また、グランドパターン５７の引き出し部５７ａの外側及び間に形成されている開口部６３は、グランドパターン５８の引き出し部５８ａによって、平面透視で隙間のない状態で塞がれている。同様に、グランドパターン５８の引き出し部５８ａの間に形成されている開口部６２は、グランドパターン５７の引き出し部５７ａによって、平面透視で隙間のない状態で塞がれている。すなわち、絶縁体シート４２〜４９の積み重ね方向において、ＬＣ共振器Ｑ１，Ｑ２の上側部に近接して積層されているグランドパターン５７，５８のそれぞれの引き出し部５７ａ，５８ａが、平面透視で互いに隙間のない状態で配置されている。同様に、ＬＣ共振器Ｑ１，Ｑ２の下側部に近接して積層されているグランドパターン５９，６０のそれぞれの引き出し部５９ａ，６０ａも、平面透視で互いに隙間のない状態で配置されている。従って、フィルタ４１内で発生した電磁波が、フィルタ４１の外部へ漏れにくくなる。
【００３７】
なお、本発明に係る積層型ＬＣ複合部品は、前記実施形態に限定するものではなく、その要旨の範囲内で種々に変更することができる。
【００３８】
グランドパターンの形状は、引き出し部が平面透視で異なる位置に配置されるようになっていれば、任意である。例えば、図９に示すように、絶縁体シート３に設けたグランドパターン８２の引き出し部８２ａが、シート３の手前側及び奥側の辺の略左半分に配置され、絶縁体シート４に設けたグランドパターン８３の引き出し部８３ａが、シート４の手前側及び奥側の辺の略右半分に配置されているものであってもよい。また、図１０に示すように、形状の等しいグランドパターン９２，９３を、それぞれの引き出し部９２ａ，９３ａが平面透視で異なる位置に配置されるように、相互にずらしてシート３，４に設けるものであってもよい。あるいは、図１１に示すように、絶縁体シート３の略左側半分にグランドパターン１０２を設けると共に、絶縁体シート４の略右側半分にグランドパターン１０３を設けたものであってもよい。この場合も、グランドパターン１０２の引き出し部１０２ａは、シート３の手前側及び奥側の辺の略左半分に配置され、グランドパターン１０３の引き出し部１０３ａは、シート４の手前側及び奥側の辺の略右半分に配置される。
【００３９】
また、ＬＣ複合部品としては、バンドパスフィルタ、ローパスフィルタ、ハイパスフィルタ等がある。さらに、ＬＣ複合部品としては、バンドパスフィルタを組み合わせて構成したデュプレクサ、ローパスフィルタ、ハイパスフィルタおよびトラップ回路、あるいは、これら異なる種類の回路を組み合わせたデュプレクサであってもよい。さらに、デュプレクサ以外に、トリプレクサ、マルチプレクサ等のように、一つの積層体内に複数個のフィルタが内蔵されたものを含む。
【００４０】
さらに、前記実施形態は、それぞれ導体パターンやビアホールが形成された絶縁体シートを積み重ねた後、一体的に焼成するものであるが、必ずしもこれに限定されない。絶縁体シートは予め焼成されたものを用いてもよい。また、以下に説明する製法によってＬＣ複合部品を製造してもよい。印刷等の方法によりペースト状の絶縁材料にて絶縁体層を形成した後、その絶縁体層の表面にペースト状の導電性材料を塗布して導体パターンやビアホールを形成する。次にペースト状の絶縁材料を上から塗布して絶縁体層とする。同様にして、順に重ね塗りすることにより積層構造を有するＬＣ複合部品が得られる。
【００４１】
【発明の効果】
以上の説明から明らかなように、本発明によれば、複数のグランドパターンのそれぞれの引き出し部を平面透視で異なる位置に配置しているので、引き出し部で発生する磁界が一部分に集中せず、グランドパターンの引き出し部自身が有するインダクタンス成分を小さくできる。さらに、複数のグランドパターンのそれぞれの引き出し部を、平面透視で隙間のない状態で配置することにより、部品内で発生した電磁波を外部へ漏れにくくすることができる。この結果、グランドパターン自身が有するインダクタンス成分が小さく、外部へ電磁波が漏れにくい積層型ＬＣ複合部品が得られる。
【図面の簡単な説明】
【図１】本発明に係る積層型ＬＣ複合部品の第１実施形態を示す分解斜視図。
【図２】図１に示した積層型ＬＣ複合部品の外観斜視図。
【図３】図２に示した積層型ＬＣ複合部品の電気等価回路図。
【図４】図２に示した積層型ＬＣ複合部品のグランドパターンの平面透視図。
【図５】本発明に係る積層型ＬＣ複合部品の第２実施形態を示す分解斜視図。
【図６】図５に示した積層型ＬＣ複合部品の外観斜視図。
【図７】図６に示した積層型ＬＣ複合部品の断面図。
【図８】図６に示した積層型ＬＣ複合部品の電気等価回路図。
【図９】グランドパターンの変形例を示す一部分解斜視図。
【図１０】グランドパターンの別の変形例を示す一部分解斜視図。
【図１１】グランドパターンのさらに別の変形例を示す一部分解斜視図。
【図１２】従来の積層型ＬＣ複合部品の分解斜視図。
【図１３】図１２に示した積層型ＬＣ複合部品の外観斜視図。
【図１４】図１３に示した積層型ＬＣ複合部品のグランドパターンの平面透視図。
【符号の説明】
２１，４１…積層型ＬＣフィルタ
２〜７，４２〜４９…絶縁体シート
８，９…インダクタ用パターン
１０，１１，５５，５６…共振用コンデンサパターン
２２〜２５，５７〜６０…グランドパターン
２２ａ〜２５ａ，５７ａ〜６０ａ…引き出し部
５０ａ〜５０ｃ，５１ａ〜５１ｃ…インダクタ用ビアホール
Ｌ１，Ｌ２…インダクタ
Ｃ１，Ｃ２…コンデンサ
Ｑ１，Ｑ２…ＬＣ共振器
【図１】
0003570361.tif 000002
【図２】
0003570361.tif 000003
【図３】
0003570361.tif 000004
【図４】
0003570361.tif 000005
【図５】
0003570361.tif 000006
【図６】
0003570361.tif 000007
【図７】
0003570361.tif 000008
【図８】
0003570361.tif 000009
【図９】
0003570361.tif 000010
【図１０】
0003570361.tif 000011
【図１１】
0003570361.tif 000012
【図１２】
0003570361.tif 000013
【図１３】
0003570361.tif 000014
【図１４】
0003570361.tif 000015